(57)【要約】【課題】封水破壊を防止し、施工箇所によって任意に主管部又は／及び枝管部に段差を設けることができ、床下でも設置可能な合流管継手を提供する。【解決手段】主管部１と、主管部１の中心線ＣＬ１に対して２５°以上、４５°未満の角度となるように主管部１の側部から斜め側方に突設された枝管部２と、上流側排水管５を接続する受口３ａの中心線ＣＬ３ａが、挿口３ｂの中心線ＣＬ３ｂに対して偏位して形成された排水管接続部材３とからなる合流管継手であって、主管部１及び枝管部２の上流側端部に、排水管接続部材３の挿口３ｂがそれぞれ接続される構成とする。排水管接続部材３の接続の仕方で、床下の配管延長が可能となる。枝管部２と、主管部１との合流がスムーズで、その合流部に一時的な貯水スペースＰが形成されるため、閉塞する心配もない。【選択図】図１
2007063813.tif 000002
【特許請求の範囲】
【請求項１】
主管部と、
主管部の中心線に対して２５°以上、４５°未満の角度となるように主管部の側部から斜め側方に突設された枝管部と、
上流側排水管を接続する受口の中心線が、挿口の中心線に対して偏位して形成された排水管接続部材とからなる合流管継手であって、
主管部及び枝管部の上流側端部に、排水管接続部材の挿口がそれぞれ接続されることを特徴とする合流管継手。
【請求項２】
枝管部が主管部の中心線に対して３０°の角度となるように突設されたことを特徴とする請求項１に記載の合流管継手。
【請求項３】
枝管部が、その上流側で主管部と平行となるように折曲されたことを特徴とする請求項１又は請求項２に記載の合流管継手。
【請求項４】
主管部の下流側端部に、下流側排水管を接続する接続口が下方へ偏位して形成された排水管連結部材が接続されたことを特徴とする請求項１ないし請求項３のいずれかに記載の合流管継手。
【請求項５】
排水管接続部材の受口を、挿口に対して上方へ偏位するようにして主管部及び枝管部にそれぞれ接続したことを特徴とする請求項１ないし請求項４のいずれかに記載の合流管継手。
【請求項６】
排水管接続部材の受口を、挿口に対して下方へ偏位するようにして主管部に接続し、排水管接続部材の受口を、挿口に対して上方へ偏位するようにして枝管部に接続したことを特徴とする請求項１ないし請求項４のいずれかに記載の合流管継手。
【発明の詳細な説明】
【技術分野】
【０００１】
本発明は、各水設備からの排水がスムーズに合流し、逆流の心配がない合流管継手に関するものである。
【背景技術】
【０００２】
従来より、排水主管と台所や風呂場からの排水枝管との合流には、例えば、主管部に対して流入管部を４５°又は９０°の角度で形成し、主管部の底の途中に段差を設けて、合流する排水が主管部の上流側へ逆流しないように流入管部の底より主管部の上流側の底を高くした排水管継手などが用いられている（特許文献１）。
【０００３】
しかしながら、上記の排水管継手は、主管部に対して流入管部が４５°又は９０°の角度で形成されているので、排水を一時的に貯めるスペースが殆ど無く、排水主管と排水枝管から同時に大量の排水が排水管継手に合流したとき、合流部で水位が上昇し、閉塞するため、排水管に連通するトラップの封水破壊を引き起こすという問題があった。また、床下に上記排水管継手施工する場合には、風呂場や洗面所等のトイレ以外の雑排水が合流する箇所のように、必ずしも段差を設ける必要がない箇所にも、この排水管継手を配置していくと、排水主管の高低差が大きくなり、床下に多数の合流点がある場合には、施工ができないという問題があった。
【０００４】
一方、排水主管と排水枝管の合流点に、上記のような排水管継手の代わりに排水桝が用いられることもある。このように合流点に埋設される排水桝として、桝本体の一方に上流側排水主管及び排水枝管を平行状態で接続するための接続口が形成されると共に、他方に下流側排水主管を接続する接続口が形成され、これら両側の接続口間に上方へ開口する点検用接続口が設けられた排水桝が知られている（特許文献２）。この排水桝は、一方の接続口（上流の排水管側）が他方の接続口（下流の排水管側）よりも高い位置に設けられているので、排水の逆流を防止することができるようになっている。
【０００５】
しかしながら、排水桝は管継手と比較すると非常に大型で、広い埋設スペースを必要とするため、配管スペースの少ない近年の住宅での施工には不向きで、上記の排水管継手と同様に、排水主管の高低差が大きくなるので、床下での施工の場合、配管延長が不可能なことが多く、施工がし辛くなるという問題があった。
【特許文献１】特開平１１−１９３５６０号公報
【特許文献２】特開平６−３０６９０３号公報
【発明の開示】
【発明が解決しようとする課題】
【０００６】
本発明は上記の問題を解決すべくなされたもので、封水破壊を防止し、施工箇所によって任意に主管部又は／及び枝管部に段差を設けることができ、床下でも設置可能な合流管継手を提供することを解決課題としている。
【課題を解決するための手段】
【０００７】
上記目的を達成するため、本発明に係る合流管継手は、主管部と、主管部の中心線に対して２５°以上、４５°未満の角度となるように主管部の側部から斜め側方に突設された枝管部と、上流側排水管を接続する受口の中心線が、挿口の中心線に対して偏位して形成された排水管接続部材とからなる合流管継手であって、主管部及び枝管部の上流側端部に、排水管接続部材の挿口がそれぞれ接続されることを特徴とするものである。
【０００８】
本発明の合流管継手においては、枝管部が主管部の中心線に対して３０°の角度となるように突設されたことが好ましい。また、枝管部が、その上流側で主管部と平行となるように折曲されたことが好ましく、主管部の下流側端部に、下流側排水管を接続する接続口が下方へ偏位して形成された排水管連結部材が接続されたことが好ましい。そして、設置する場所に応じて排水管接続部材の受口を、挿口に対して上方へ偏位するようにして主管部及び枝管部にそれぞれ接続したり、排水管接続部材の受口を、挿口に対して下方へ偏位するようにして主管部に接続し、排水管接続部材の受口を挿口に対して上方へ偏位するようにして枝管部に接続したりして使い分けることが好ましい。
【発明の効果】
【０００９】
本発明の合流管継手は、上流側排水管を接続する受口の中心線が、挿口の中心線に対して偏位して形成された排水管接続部材を、主管部及び枝管部から切り離して別体で形成しているので、後述するように、この排水管接続部材の接続の仕方で、段差を設けるか設けないかを任意に選択することができる。従って、固形物を殆ど含まない雑排水が合流する箇所は、段差を設けないことで、排水主管のレベルの高低差を勾配分の最小限に抑えることができるので、床下の配管延長が可能となる。この排水管接続部材は、主管部と枝管部のどちらにも接続できる共通の部材なので、コストを削減することもできる。また、枝管部の流入角度を２５°以上、４５°未満に設定してあるので、従来の排水管継手に比べると、トイレ等からの排水が流入する枝管部と、主管部との合流がスムーズで、その合流部に一時的な貯水スペースが形成されるため、閉塞する心配もない。
【００１０】
特に、枝管部が主管部の中心線に対して３０°の角度となるように突設された合流管継手は、全長、一時的な貯水スペース、段差のバランスが最も好ましい。
【００１１】
枝管部が、その上流側で主管部と平行となるように折曲された合流管継手は、合流管継手の横幅が減少されるので、床下の左右の配管スペースが狭小である場合でも設置することができる。
【００１２】
主管部の下流側端部に、下流側排水管に接続する接続口が下方へ偏位して形成された排水管連結部材が接続された合流管継手は、成形が容易となり、製造コストを削減することができ、また、その内径を変更することで、様々なサイズの下流側排水管に接続することができる。
【００１３】
排水管接続部材の受口を、挿口に対して上方へ偏位するようにして主管部及び枝管部にそれぞれ接続した合流管継手は、上流側排水管又は／及び排水枝管からの排水（例えばトイレ等）が固形物を含んでおり、逆流すると不都合な場合に配置するのに適している。
【００１４】
排水管接続部材の受口を、挿口に対して下方へ偏位するようにして主管部に接続し、排水管接続部材の受口を、挿口に対して上方へに偏位するようにして枝管部に接続した合流管継手は、固形物を殆ど含まない雑排水（例えば風呂場や洗面所等）が上流側排水管及び排水枝管に流入する場合で、排水が逆流しても差し支えがない場所に配置するのに適している。この合流管継手は、主管部と上流側排水管との間に段差が生じないので、上流側排水管のレベル上昇を最低限（勾配分）に抑えることができ、床下の配管延長が可能となる。
【発明を実施するための最良の形態】
【００１５】
以下、図面を参照して本発明の具体的な実施形態を詳述する。
【００１６】
図１は本発明の一実施形態に係る合流管継手の分解斜視図、図２は同継手の平面断面図、図３は同継手の正面分解断面図（図１のＡ−Ａ線に沿った断面図）、図４は同継手の主管部に段差を設けたときの正面断面図、図５は同継手の主管部及び枝管部に段差部を設けたときの右側面図、図６は同継手の枝管部にのみ段差部を設けたときの右側面図、図７は同継手を配管施工した一例の平面図である。
【００１７】
図１に示す本発明の合流管継手は、主管部１と枝管部２と排水管接続部材３と排水管連結部材４とからなる管継手で、この合流管継手の材質については特に限定されないが、ポリ塩化ビニルやポリエチレン等の熱可塑性合成樹脂を用いて成形すると、強度、耐蝕性、耐久性、寸法制度等に優れた合流管継手が形成される利点があるので好適に使用される。また、材料の合成樹脂は、不透明な配合のものを使用してもよいが、顔料を含まない無色透明のものや有色透明の配合のものを使用して、合流管継手の内部を透視できるようにすることが、接着作業や点検作業の観点から望ましい。
【００１８】
主管部１は、直径が１２０ｍｍ程度、長さが３５０ｍｍ〜４００ｍｍ程度の円筒体で、図２に示すように、その上流側端部には、排水管接続部材３が内嵌合される、円筒体よりも円径が大きい上流側接続口１ａが形成されている。
尚、上流側接続口１ａを形成せずに、排水管接続部材３の挿口３ｂの内径を拡大して、主管部１の円筒体をその挿口３ｂに挿し込むことにより、主管部１と排水管接続部材３を接続するようにしてもよい。
【００１９】
主管部１の側部から斜め側方に突設された枝管部２は、主管部１と同径の円筒体で、図２に示すように、その上流側で主管部１側へと折り曲げられて主管部１と平行になるように形成されている。そして、この枝管部２の上流側端部にも、主管部１と同様に、排水管接続部材３が内嵌合される上流側接続口２ａが形成されている。この枝管部２は、主管部1の中心線ＣＬ１に対して枝管部２の中心線ＣＬ２の角度θが２５°以上、４５°未満の角度の範囲内で主管部１側部から突設されるのが好ましく、この角度θが２５°未満であると、合流管継手の全長が長くなりすぎて相当な配管スペースを必要とするので好ましくない。また、角度θが４５°以上だと、主管部１と枝管部２の合流部分で形成される一時的な貯水スペースＰが皆無に等しくなり、主管部１と枝管部２へ同時に大量の排水が流入すると、合流管継手内で閉塞して各水設備のトラップの封水が破壊される恐れが生じるし、合流管継手の横幅が広くなりすぎるので、角度θは２５°以上、４５°未満に設定するのが好ましい。特にこの角度θが３０°である合流管継手は、全長、貯水スペースＰの容量や段差Ｌ（３ｃｍ程度で逆流を防止できる）のバランスが最適で、省スペースでも設置でき、閉塞の心配もなく、逆流も防止できるので好ましい。
尚、上述した主管部１と同様に、枝管部２の上流側接続口２ａを形成せずに、排水管接続部材３の挿口３ｂの内径を拡大して、枝管部２の円筒体をその挿口３ｂに挿し込んで、枝管部２と排水管接続部材３を接続してもよいのはいうまでもない。
【００２０】
上記主管部１、枝管部２は、図２に示すように、接続口１ａ，２ａからフランジ８までと、フランジ８より下流側の主管部１，枝管部２が別個に形成されており、それぞれのフランジ８，８を重ね合わせてボルト８ａで接合されている。これは２分割としたほうが成形し易く、運搬性に優れるからであって、もちろん主管部１と枝管部２の全部を一体に成形してもよい。また、本実施例はフランジ８を重ね合わせてボルト８ａで接合しているが、接着剤等で接合してもよいのはいうまでもない。
【００２１】
また、管継手内部を点検するために、主管部１と枝管部２の上端（フランジ８より下流側）に点検口を設けても構わないが、図７に示すように、下流側排水管７の途中に点検口９を接続すると、本発明の合流管継手は、主管部１の中心線ＣＬ１を軸に１８０°回転させることにより、下流側から見て左側に枝管部２が位置することになるので、排水枝管６が主管部１の左右どちらに位置しても使用できる。従って、兼用タイプとすることでコストを抑えることができ、施工箇所によって管継手を使い分ける必要がなくなるので、施工現場での対応が簡単となる。
【００２２】
上記主管部１と枝管部２の上流側接続口１ａ，２ａにそれぞれ接続される排水管接続部材３は、図３、図４、図７に示すように、その一端（上流側端）に上流側排水管５（呼径が７５ｍｍのＶＵ７５）を接続する小径の受口３ａが形成されており、他端（下流側端）に上流側接続口１ａ，２ａへ挿し込む大径の挿口３ｂが形成されている。受口３ａの中心線ＣＬ３ａは、挿口３ｂの中心線ＣＬ３ｂに対して偏位して形成されており、図３に示すように、受口３ａを下方へ偏位させて上流側接続口１ａに接続すると上流側排水管５と主管部１に段差は形成されない。一方、この状態から中心線ＣＬ３ａを軸に排水管接続部材３を１８０°回転させて上流側接続口１ａに接続すると、図４に示すように、上流側排水管５と主管部１に逆流防止の段差Ｌが形成される。このように、排水管接続部材３の受口３ａを下方へ偏位させて上流側接続口１ａ又は／及び上流側接続口２ａに接続したり、上方へ偏位させて上流側接続口１ａ又は／及び上流側接続口２ａに接続することにより、図５に示すように、上流側排水管５と主管部１及び排水枝管６と枝管部２双方の間に段差Ｌを設けることもできるし、図６に示すように、排水枝管６と枝管部２の間にだけ段差Ｌを設けることもできる。また、設置箇所に応じて、主管部１及び枝管部２の双方に段差を設けなかったり、上流側排水管５と主管部１の間にのみ段差Ｌを設けたりできるのはいうまでもない。
【００２３】
一方、主管部１の下流側端部に接続される排水管連結部材４は、図３、図４、図７に示すように、その一端（上流側端）に主管部１の下流側端部を外嵌合する大径の嵌合口４ｂが形成されており、他端（下流側端）に下流側排水管７（ＶＵ７５）を接続する小径の接続口４ａが下方へ偏位して形成されている。この排水管連結部材４の接続口４ａを下方へ偏位して形成することで、上流側排水管５から合流管継手を経て下流側排水管７までの流路の底面が面一となり、上流側排水管５及び排水枝管６から流入した排水は、接続箇所の継ぎ目で排水の流れが乱されることなく、スムーズに下流側排水管７へと流出される。
尚、下流側排水管７が呼径１００ｍのＶＵ１００などのように管径が太い場合は、上記排水管連結部材４を連結させず、主管部１の下流側端部にＶＵ１００ソケットを介してＶＵ１００直接連結することもできる。
【００２４】
以上のような合流管継手は、図７に示すように、家屋の基礎２０の内側の床下配管スペースに配置されて、主管部１には排水管接続部材３を介して上流側排水管５が接続され、枝管部２には排水管接続部材３を介して排水枝管６が接続される。一方、主管部１の下流側端部は排水管連結部材４を介して下流側排水管７が接続され、下流側排水管７は旋回流発生継手１０に接続される。この下流側排水管７の途中には、点検口９が接続されており、この点検口９より管内部を点検することができるようになっている。そして、旋回流発生継手１０には大曲り管１１が接続され、大曲り管１１は基礎２０を貫通する基礎貫通排水管１２に接続される。その基礎貫通排水管１２の下流側端部は旋回流型排水桝１３を介して屋外排水管１４に接続されるようになっている。この旋回流発生継手１０及び旋回流型排水桝１３は、旋回流を発生させることにより閉塞を防止するので、本発明の合流管継手が閉塞を防止するのと相俟って、床下配管の通気が確保され、各水設備のトラップの封水破壊を確実に防止する。
【００２５】
このとき、風呂場や洗面所など固形物を殆ど含まない雑排水が上流側排水管５及び排水枝管６に流入する場合は、排水が上流側排水管５の上流側へ逆流しても特別差し支えがないので、図６に示すように、一方の排水管接続部材３の受口３ａを下方へ偏位させて主管部１の上流側接続口１ａに接続し、もう一方の排水管接続部材３の受口３ａを上方へ偏位させて枝管部２の上流側接続口２ａに接続すればよい。排水枝管６と枝管部２との間には、段差Ｌが設けられるので、排水の枝管部２への逆流を防止することができる。このようにして排水管接続部材３，３を接続すると、上流側排水管５の高低差を最小限（勾配分）に抑えることができるので、上流側排水管５の配管延長が可能となる。
尚、上流側排水管５の配管延長が必要のない場合は、図５に示すように、排水管接続部材３，３の受口３ａ，３ａを上方へ偏位させて上流側接続口１ａ，２ａに接続し、段差Ｌを設けるほうが不要な排水の逆流を防止できるのでより好ましく、住宅のリフォーム等で配管を延長する必要が生じた場合に、上記のように一方の排水管接続部材３の受口３ａを下方へ偏位させて主管部１の上流側接続口１ａに接続し、もう一方の排水管接続部材３の受口３ａを上方へ偏位させて枝管部２の上流側接続口２ａに接続するようにすればよい。
【００２６】
一方、トイレなどのように固形物を含んだ汚水が上流側排水管５又は／及び排水枝管６に流入する場合は、主管部１、枝管部２共に逆流を防止する必要が生じるので、図５に示すように、排水管接続部材３，３の受口３ａ，３ａを上方へ偏位させて上流側接続口１ａ，２ａに接続する。このように排水管接続部材３を接続すると、段差Ｌが設けられるので排水の逆流を確実に防止することができる。また、上述した汚水が流入した合流管継手の下流側に、更に合流管継手を配置する場合も、逆流を防止する必要があるので、排水管接続部材３，３の受口３ａ，３ａを上方へ偏位させて上流側接続口１ａ，２ａに接続する必要がある。
【００２７】
以上の説明からも明らかなように、本発明の合流管継手は、排水管接続部材３の接続の仕方を変えるだけで、段差Ｌを設けたり設けないことが任意に選択でき、様々な状況の施工現場に容易に対応することができる。従って、逆流を防止する必要のない箇所は段差Ｌを設けずに、床下の配管を延長することができる。また、主管部１と枝管部２の合流部に一時的な貯水スペースＰが形成されるため、従来の排水管継手のように閉塞する心配がない、といった顕著な効果を奏する。
【図面の簡単な説明】
【００２８】
【図１】本発明の一実施形態に係る合流管継手の分解斜視図である。
【図２】同継手の平面断面図である。
【図３】同継手の正面分解断面図（図１のＡ−Ａ線に沿った断面図）である。
【図４】同継手の主管部に段差を設けたときの正面断面図である。
【図５】同継手の主管部及び枝管部に段差を設けたときの右側面図である。
【図６】同継手の枝管部にのみ段差を設けたときの右側面図である。
【図７】同継手を配管施工した一例の平面図である。
【符号の説明】
【００２９】
１    主管部
１ａ  上流側接続口
ＣＬ１  中心線
２    枝管部
２ａ  上流側接続口
ＣＬ２  中心線
３    排水管接続部材
３ａ  受口
ＣＬ３ａ  中心線
３ｂ  挿口
ＣＬ３ｂ  中心線
４    排水管連結部材
４ａ  接続口
４ｂ  嵌合口
５    上流側排水管
６    排水枝管
７    下流側排水管
Ｌ    段差
【図１】
2007063813.tif 000003
【図２】
2007063813.tif 000004
【図３】
2007063813.tif 000005
【図４】
2007063813.tif 000006
【図５】
2007063813.tif 000007
【図６】
2007063813.tif 000008
【図７】
2007063813.tif 000009